(57)【要約】【課題】ＣＤやＤＶＤなどの媒体に記憶されている内容を示す情報を媒体投入後短時間に表示することができるとともに、消費電力が少なく耐用年数が長い媒体再生装置を提供する。【解決手段】ＣＤやＤＶＤなどの媒体（１００）に予め所定のコードを記憶した無線タグ（１１０）を埋設しておいて、該無線タグからのコードを読み取る通信手段（２４０）と、無線タグから読み取られたコードと媒体から読み出された情報とを関連させた例えばテーブルのような形式のデータを作成する手段（２８０）と、作成されたデータを記憶する不揮発性半導体メモリのような記憶手段（２８１）とを設け、最初に媒体が投入されたときは媒体から内容を示す情報を読み取ってデータを作成して記憶手段に登録し、再度同一媒体が投入されたときは無線タグから読み取られたコードを用いて記憶手段を検索して対応する内容を示す情報を見つけ表示させるようにした。【選択図】  図２
2004192752.tif 000002
【特許請求の範囲】
【請求項１】
媒体に記憶されている内容を示す情報を表示する機能を有する媒体再生装置において、媒体に付着された半導体チップから送信されるコードを読み取る通信手段と、半導体チップから読み取られたコードと媒体から読み出された情報とを関連させたデータを作成する手段と、作成されたデータを記憶する記憶手段とを備え、最初に媒体が投入されたときは媒体から内容を示す情報を読み取ってデータを作成して上記記憶手段に登録し、再度同一媒体が投入されたときは半導体チップから読み取られたコードを用いて記憶手段を検索して対応する内容を示す情報を読み出して表示するように構成されていることを特徴とする媒体再生装置。
【請求項２】
媒体が最初に投入されたときは媒体回転駆動用モータを駆動して当該媒体に記録されている内容を示す情報を読み取って表示するとともに、再度同一媒体が投入されたときは媒体回転駆動用モータを回転させないように制御することを特徴とする請求項１に記載の媒体再生装置。
【請求項３】
再生したい媒体に付着された半導体チップから読み取られたコードと予め上記記憶手段に登録されているコードとを比較して、上記記憶手段に登録されているいずれかのコードと一致した時に当該媒体を正規の媒体と判定して再生もしくは記録を許可し、受信コードと登録コードが一致しないときは再生もしくは記録を実行しないように構成されていることを特徴とする請求項１または２に記載の媒体再生装置。
【発明の詳細な説明】
【０００１】
【発明の属する技術分野】
本発明は、媒体再生システムに関し、例えばＣＤ（コンパクトディスク）やＤＶＤ（ディジタル・ビデオ・ディスク）などの著作物を記憶したディスク型媒体に記憶されている記憶内容を表示する機能を有する媒体再生装置に利用して有効な技術に関する。
【０００２】
【従来の技術】
従来、音楽や映画などの著作物を記憶したＣＤやＤＶＤなどの媒体においては、記憶内容の不正なコピーによる著作権の侵害が問題になっており、その対策として暗号化など種々の不正コピー防止対策が提案されている。
【０００３】
一方、近年、所定のデータを記憶したＲＯＭ（リード・オンリ・メモリ）と、該ＲＯＭから読み出されたデータを外部へ送信する送信回路と、外部からの要求等に応じて上記ＲＯＭからデータを読み出して送信回路により外部へデータを出力させる制御や所定の演算処理などを行なったりする論理回路と、これらの回路に電源電圧を供給する電源回路などを内蔵した無線タグと呼ばれる１ｍｍ角以下の微少な半導体チップが提案されている。
【０００４】
かかる半導体チップは、内蔵ＲＯＭに所定のコード等を記憶させて紙幣などに埋め込んでおいて、銀行の現金自動支払機や券売機、自動販売機などに設けられた所定の読取装置でＲＯＭ内のコードを読み取ることで偽造紙幣でないかチェックする偽造防止技術として期待されている。本発明は、このような半導体チップの機能を利用した発明である。
【０００５】
【発明が解決しようとする課題】
従来、ＣＤやＤＶＤなどには、そのディスクに記憶されている音楽の題名やアーティストなどの情報が記憶されており、ＣＤプレーヤーなどの再生装置にはディスクが投入されると直ちにディスクを回転させて内容を示す情報を読み取って液晶パネル等へ表示するように構成されているものがある。
【０００６】
従来のＣＤプレーヤーは、ディスクが投入されると毎回モータを駆動してディスクを回転させて内容を示す情報を読み取る方式であるため、消費電力が多く耐用年数低下の原因になるとともに、ディスクが投入されてから内容が表示されるまでの待ち時間が長いという課題がある。
【０００７】
この発明の目的は、ＣＤやＤＶＤなどの媒体に記憶されている内容を示す情報を媒体投入後短時間に表示することができる媒体再生装置を提供することにある。
【０００８】
この発明の他の目的は、ＣＤやＤＶＤなどの媒体に記憶されている内容を示す情報を表示する機能を有する媒体再生装置の消費電力を減らし、耐用年数を増加できるようにすることにある。
【０００９】
【課題を解決するための手段】
本発明は、上記目的を達成するためになされたもので、ＣＤやＤＶＤなどの媒体に記憶されている内容（コンテンツ）を示す情報を表示する機能を有する媒体再生システムにおいて、内容を示す情報が記憶されているＣＤやＤＶＤなどの媒体に予め所定のコードを記憶した無線タグを埋設しておいて、該無線タグからのコードを読み取る通信手段と、無線タグから読み取られたコードと媒体から読み出された情報とを関連させた例えばテーブルのような形式のデータを作成する手段と、作成されたデータを記憶する不揮発性半導体メモリのような記憶手段とを設け、最初に媒体が投入されたときは媒体から内容を示す情報を読み取ってデータを作成して記憶手段に登録し、再度同一媒体が投入されたときは無線タグから読み取られたコードを用いて記憶手段を検索して対応する内容を示す情報を見つけ表示させるようにしたものである。
【００１０】
上記した手段によれば、媒体が投入されたときに当該媒体から内容を示す情報を読み取ることなく表示したい情報を半導体メモリから得ることができるため、媒体投入後短時間に内容を示す情報を表示することができるとともに、媒体再生装置の消費電力を減らし、耐用年数を増加させることが可能になる。
【００１１】
【発明の実施の形態】
以下、本発明の好適な実施例を図面に基づいて説明する。
図１は、本発明に係る媒体再生装置の一構成例を示す。
図１において、符号１００は音楽や映画などのディジタルコンテンツやコンテンツの題名やアーティストなどの情報が記憶されたディスク、符号２００はＣＤプレーヤーやＤＶＤプレーヤーのような媒体記録再生装置で、ディスク１００のコンテンツ記録部以外の所定箇所には無線タグチップ１１０が埋設されている。無線タグチップ１１０は、所定のデータを記憶したＲＯＭ（リード・オンリ・メモリ）と、該ＲＯＭから読み出されたデータを外部へ送信する送信回路と、外部からの要求等に応じて上記ＲＯＭからデータを読み出して送信回路により外部へデータを出力させる制御や所定の演算処理などを行なったりする論理回路と、これらの回路に電源電圧を供給する電源回路などを内蔵している。
【００１２】
この無線タグチップ１１０は、特に制限されるものでないが、アンテナを介して外部より入力される交流信号をダイオードブリッジなどで整流して内部直流電源電圧を生成するように構成されている。アンテナは、所定のパターンの導電層からなる配線によりチップ周縁部あるいは回路部分の上方に絶縁膜によって回路素子と絶縁された状態で形成される。また、各無線タグチップ１１０の内蔵ＲＯＭには該チップが埋設されるディスクに応じて所定のコードが格納されている。このコードは、同一内容のディスクに埋設されるチップには同一のものを格納してよいし、例えば数１０ビットのコードのうち所定のビットから他の所定のビットまでのようなコードの一部に同一のビット列を含ませるようにしてもよい。また、２進数で表わされるコードのある数からある数までを、例えば１０進数で１０００００００から１１００００００までのように、同一内容のディスクに割り当てるようにしてもよい。
【００１３】
媒体記録再生装置２００は、ディスク１００を回転駆動するスピンドルモータ２１１、半導体レーザ素子やレンズなどの光学系を有するピックアップ２２０、ピックアップ２２０を移動させるアクチュエータ２１２、上記スピンドルモータ２１１およびアクチュエータ２１２の駆動を行なうモータドライバ２３０などを有する。モータドライバ２４０はスピンドルモータ駆動回路とアクチュエータ駆動回路とからなり、ヘッドの相対速度を一定にするようにスピンドルモータ駆動回路をサーボ制御するとともに、ヘッドの中心をトラックの中心に一致させるようにアクチュエータ駆動回路をサーボ制御する。
【００１４】
媒体記録再生装置２００は、さらに上記無線タグチップ１１０との間の信号の送受信を行なう送受信回路２４０、上記ピックアップ２２０によって検出され光電変換された信号を増幅するリード・アンプ２５０、リード・アンプ２５０から送られてくる読出し信号に対して波形整形や復調処理、誤り訂正処理等の信号処理をしてデータを再生する信号処理回路２６０、再生データをデコード（復号）したり本装置と外部装置との間のデータの受渡しおよび制御等を行なうデコーダ＆インタフェース回路２７０、システム全体を統括的に制御するマイクロプロセッサやシングルマイクロコンピュータなどからなる制御回路２８０、ディスクから高速で読み出されたリードデータを一時的に記憶するバッファ用のキャッシュメモリ２９０、液晶パネルのような表示部３００、制御回路２８０へ指令を与えるための操作スイッチを有する入力操作部４００を備える。制御回路２８０は内部にメモリ２８１を備える。
【００１５】
本実施例の媒体再生装置は、ディスク１００に埋設された無線タグチップ１１０から送信されるコードを送受信回路２４０で受信して、制御回路２８０において予め内部メモリ２８１に格納されているコードと比較して、著作権を有する正規の権利者によって製造されたディスクであるか否かを判定して不正なディスクの場合には再生動作を行なわないような制御を行なう。また、制御回路２８０は、受信したコードとディスクから読み取られた音楽や映画など著作物の題名やアーティストなどの情報（以下、コンテンツ情報と称する）とを関連させた例えばテーブルのような形式のデータを作成する機能と、作成されたデータをメモリ２８１に記憶させる機能と、受信したコードからメモリ２８１に記憶されているコンテンツ情報を検索する機能を備えている。
【００１６】
メモリ２８１は、プログラムや固定データを格納するＲＯＭ（リード・オンリ・メモリ）と、制御回路２６０が生成したデータを記憶するＲＡＭ（ランダム・アクセス・メモリ）と、上記テーブルデータを記憶するＥＥＰＲＯＭのような書換え可能な不揮発性メモリとからなる。
【００１７】
次に、本実施例の媒体再生装置が備える媒体真偽判定機能およびコンテンツ情報表示機能の処理手順を、図２のフローチャートを用いて説明する。
ユーザーが媒体再生装置にディスクを投入すると、制御回路２８０は、図２の媒体真偽判定処理＆ディスク情報登録処理を開始し、先ずタグチップからコードを読み出すためのコード読出しコマンドを送受信回路２４０より送信させる（ステップＳ１１）。すると、このコマンドを受信したタグチップ１１０が内蔵ＲＯＭからコードを読み出して出力する。媒体再生装置２００の制御回路２８０は、このコードを受信すると内部に取り込んでメモリ２８１内の登録済みのコードと比較して正規のディスクであるか否か判定し、正規のディスクでないときは処理を終了する（ステップＳ１２，Ｓ１３）。
【００１８】
正規のディスクであったときは、制御回路２６０は、メモリ２８１内のテーブルを検索して当該コードがすでに登録されているか判定する（ステップＳ１４）。そして、コードが登録されていないときはステップＳ１５へ移行して、スピンドルモータ２１１を回転させる指令とアクチュエータ２１２を駆動してピックアップ２２０をディスク上のコンテンツ情報が記録されているトラックへ移動させる指令をモータドライバ２３０へ与え、コンテンツ情報を読み取る（ステップＳ１６）。それから、モータおよびアクチュエータの駆動を停止させる指令をモータドライバ２３０へ与え、読み取ったコンテンツ情報を表示部３００に表示させる（ステップＳ１７，Ｓ１８）。
【００１９】
一方、ステップＳ１４で受信したコードがメモリ２８１内のテーブルに登録されていたときは、ステップＳ１９へ移行して、メモリ２８１内からコンテンツ情報を読み出して、ステップＳ１８へ移行して当該コンテンツ情報を表示部３００に表示させ、コンソールからの指令待ち状態となる。なお、表示部３００に表示させるのはメモリ２８１内の対応するコンテンツ情報のすべてでなく最初の情報等一部の情報のみであっても良いし、すべての情報を所定時間（例えば２秒）ずつ順番に表示させるようにしてもよい。
【００２０】
この実施例の媒体再生装置においては、媒体としてのディスク１００が投入されたときにそれが正規のディスクであるか否かを無線タグチップから読み取られたコードにより判定することができ、正規のディスクでないときは以後の処理が行なわれないつまり再生が拒否される。また、投入されたディスクが初めての投入であるときはディスクからコンテンツ情報を読み取って無線タグチップから読み取られたコードとともにメモリ２８１に登録し、再度同一ディスクが投入されたときは無線タグチップから読み取られたコードを用いてメモリを検索して対応する内容を示す情報を見つけ表示させることができるため、モータを駆動させる必要がなく、これによってディスク投入後短時間にコンテンツ情報を表示することができるとともに、トータルのモータ駆動回数が少なくなるため媒体再生装置の消費電力を減らし、耐用年数を増加させることが可能になる。
【００２１】
以上本発明者によってなされた発明を実施例に基づき具体的に説明したが、本発明は上記実施例に限定されるものではなく、その要旨を逸脱しない範囲で種々変更可能であることはいうまでもない。例えば、上記実施例では、ディクスの再生についてのみ説明したが、媒体再生装置が記録機能を有する場合にも適用することができる。そして、その場合には、ディスクの不正コピーを防止することができるという利点がある。
【００２２】
また、上記実施例では、無線タグチップから読み取ったコードと予めメモリに記憶されているコードとを直接比較して媒体が正規のものか否かの判定をしているが、いずれか一方もしくは双方を所定の暗号化方法で暗号化して格納しておいて読み取った後復号して比較するようにしても良い。さらに、実施例では、媒体が既に登録されたものであるときはモータを回転駆動させないようにしているが、モータを回転させるようにしても良い。このようにすると、低消費電力という利点は得られないが、ディスクからのコンテンツ情報の読出し時間よりもメモリからの読出し時間の方が短いので、従来に比べてより早くコンテンツ情報を表示できるという利点がある。
【００２３】
なお、無線タグチップを埋設する媒体はＣＤやＤＶＤのようなディスクに限定されず、カセットテープや半導体メモリを利用したスマートメディアなどのメモリカードであってもよい。さらに、媒体に埋設する半導体チップは、ＲＯＭと送信回路や小規模な論理回路を内蔵した無線タグチップに限定されず、無線タグチップと同様な機能を組み込んだマイクロコンピュータなどであってもよい。
【００２４】
以上の説明では主として本発明者によってなされた発明をその背景となった利用分野であるメディアプレーヤーに適用した場合を説明したが、本発明はメディアプレーヤーに限定されるものでなく、媒体再生機能を有するＰＤＡ（パーソナル・ディジタル・アシスタンツ）や携帯電話器等の携帯型電子機器に適用することも可能である。
【００２５】
【発明の効果】
本願発明に従うと、媒体投入後短時間にコンテンツ情報を表示することができるとともに、媒体再生装置の消費電力を減らし、耐用年数を増加させることが可能になるという効果がある。
【図面の簡単な説明】
【図１】本発明を媒体再生装置に適用した場合の実施例を示すブロック図である。
【図２】実施例の媒体再生装置が備える媒体真偽判定機能およびコンテンツ情報表示機能の処理手順を示すフローチャートである。
【符号の説明】
１００  ディスク（媒体）
１１０  タグチップ
２００  ＣＤ（ＤＶＤ）プレーヤー（媒体再生装置）
２１１  スピンドルモータ
２１２  アクチュエータ
２２０  ピックアップ
２５０  リード・アンプ
【図１】
2004192752.tif 000003
【図２】
2004192752.tif 000004